(57)【要約】  【課題】商品の購入と合わせて、一緒に行く人を勧誘するなどのコミュニケーションを取ることも可能な商品販売システムを提供する。  【解決手段】本商品販売システム１を構成する前記商品販売サーバ１０は、ユーザＡが入力したお誘い商品及びお誘いするユーザＢに関するユーザ情報をユーザＡ端末３０Ａから受信する機能と、ユーザＢに呈示するためのお誘い商品及びユーザＡに関する情報を含むお誘いページを作成する機能と、お誘いページをユーザＢ端末３０Ｂに送信する機能と、ユーザＢ端末３０Ｂからお誘いを受ける旨の回答を受信したときに、お誘い商品についてユーザＡ及びユーザＢの二人分の決済を行うための決済情報をユーザＡ端末３０Ａに送信する機能と、決済情報に基づき決済処理を行ったユーザＡ端末３０Ａに対して、お誘い商品の二人分のチケットデータを送信する機能と、を備える。【選択図】図４
2012190301.tif 000002
【特許請求の範囲】
【請求項１】
ネットワークを介してユーザ端末と接続された商品販売サーバを備え、商品販売サービスを提供する商品販売システムにおいて、
前記商品販売サーバは、
ユーザＡが入力したお誘い商品及びお誘いするユーザＢに関するユーザ情報をユーザＡ端末から受信する機能と、
ユーザＢに呈示するための前記お誘い商品及びユーザＡに関する情報を含むお誘いページを作成する機能と、
前記お誘いページをユーザＢ端末に送信する機能と、
前記ユーザＢ端末からお誘いを受ける旨の回答を受信したときに、前記お誘い商品についてユーザＡ及びユーザＢの二人分の決済を行うための決済情報を前記ユーザＡ端末に送信する機能と、
前記決済情報に基づき決済処理を行った前記ユーザＡ端末に対して、前記お誘い商品の二人分のチケットデータを送信する機能と、
を備えることを特徴とする商品販売システム。
【請求項２】
ネットワークを介して商品販売サーバに接続されたユーザ端末に対して、商品販売サービスを提供する商品販売方法において、
ユーザＡ端末において、ユーザＡが入力したお誘い商品及びお誘いするユーザＢに関するユーザ情報を前記商品販売サーバに送信する工程と、
前記商品販売サーバにおいて、ユーザＢに呈示するための前記お誘い商品及びユーザＡに関する情報を含むお誘いページを作成する工程と、
前記商品販売サーバにおいて、前記お誘いページをユーザＢ端末に送信する工程と、
前記商品販売サーバにおいて、前記ユーザＢ端末からお誘いを受ける旨の回答を受信したときに、前記お誘い商品についてユーザＡ及びユーザＢの二人分の決済を行うための決済情報を前記ユーザＡ端末に送信する工程と、
前記商品販売サーバにおいて、前記決済情報に基づき決済処理を行った前記ユーザＡ端末に対して、前記お誘い商品の二人分のチケットデータを送信する工程と、
を備えることを特徴とする商品販売方法。
【請求項３】
ユーザに対して商品販売サービスの提供をコンピュータに行わせるための商品販売サービス提供プログラムにおいて、
ユーザＡが入力したお誘い商品及びお誘いするユーザＢに関するユーザ情報をユーザＡ端末から受信するステップと、
ユーザＢに呈示するための前記お誘い商品及びユーザＡに関する情報を含むお誘いページを作成するステップと、
前記お誘いページをユーザＢ端末に送信するステップと、
前記ユーザＢ端末からお誘いを受ける旨の回答を受信したときに、前記お誘い商品についてユーザＡ及びユーザＢの二人分の決済を行うための決済情報を前記ユーザＡ端末に送信するステップと、
前記決済情報に基づき決済処理を行った前記ユーザＡ端末に対して、前記お誘い商品の二人分のチケットデータを送信するステップと、
を前記コンピュータに実行させることを特徴とする商品販売サービス提供プログラム。
【請求項４】
ネットワークを介してユーザ端末と接続された商品販売サーバを備え、商品販売サービスを提供する商品販売システムにおいて、
前記商品販売サーバは、
ユーザＢが入力した誘って商品及び誘って欲しいユーザＡに関するユーザ情報をユーザＢ端末から受信する機能と、
ユーザＡに呈示するための前記誘って商品及びユーザＢに関する情報を含む誘ってページを作成する機能と、
前記誘ってページをユーザＡ端末に送信する機能と、
前記ユーザＡ端末からお誘いする旨の回答を受信したときに、前記誘って商品についてユーザＡ及びユーザＢの二人分の決済を行うための決済情報を前記ユーザＡ端末に送信する機能と、
前記決済情報に基づき決済処理を行った前記ユーザＡ端末に対して、前記誘って商品の二人分のチケットデータを送信する機能と、
を備えることを特徴とする商品販売システム。
【請求項５】
ネットワークを介して商品販売サーバに接続されたユーザ端末に対して、商品販売サービスを提供する商品販売方法において、
ユーザＢ端末において、ユーザＢが入力した誘って商品及び誘って欲しいユーザＡに関するユーザ情報を前記商品販売サーバに送信する工程と、
前記商品販売サーバにおいて、ユーザＡに呈示するための前記誘って商品及びユーザＢに関する情報を含む誘ってページを作成する工程と、
前記商品販売サーバにおいて、前記誘ってページをユーザＡ端末に送信する工程と、
前記商品販売サーバにおいて、前記ユーザＡ端末からお誘いする旨の回答を受信したときに、前記誘って商品についてユーザＡ及びユーザＢの二人分の決済を行うための決済情報を前記ユーザＡ端末に送信する工程と、
前記商品販売サーバにおいて、前記決済情報に基づき決済処理を行った前記ユーザＡ端末に対して、前記誘って商品の二人分のチケットデータを送信する工程と、
を備えることを特徴とする商品販売方法。
【請求項６】
ユーザに対して商品販売サービスの提供をコンピュータに行わせるための商品販売サービス提供プログラムにおいて、
ユーザＢが入力した誘って商品及び誘って欲しいユーザＡに関するユーザ情報をユーザＢ端末から受信するステップと、
ユーザＡに呈示するための前記誘って商品及びユーザＢに関する情報を含む誘ってページを作成するステップと、
前記誘ってページをユーザＡ端末に送信するステップと、
前記ユーザＡ端末からお誘いする旨の回答を受信したときに、前記誘って商品についてユーザＡ及びユーザＢの二人分の決済を行うための決済情報を前記ユーザＡ端末に送信するステップと、
前記決済情報に基づき決済処理を行った前記ユーザＡ端末に対して、前記誘って商品の二人分のチケットデータを送信するステップと、
を前記コンピュータに実行させることを特徴とする商品販売サービス提供プログラム。
【発明の詳細な説明】
【技術分野】
【０００１】
本発明は、インターネット等のネットワークを介してオンラインで商品を販売する商品販売システムに関し、特に、チケットの販売に適した商品販売システムに関する。
【背景技術】
【０００２】
従来から、インターネット上のショッピングサイトが多数提供されており、種々の商品がオンラインで販売されている。オンライン商品としては、遊園地や美術館に入場するためのチケットや飲食店で所定のコース料理の提供を受けるためのチケット（クーポン）等も販売されている。
【０００３】
このようなチケット販売システムとしては、例えば、下記特許文献１及び２に開示されたシステムが知られている。
【０００４】
しかし、上述した商品販売システムでは、商品購入希望者が単に所定の商品（チケット）を購入するためのシステムである。したがって、購入者が知人と一緒に訪れたい施設のチケットをまとめて購入する場合には、購入前又は購入後に別途知人と連絡を取って一緒に行く約束等を取り付ける必要がある。
【０００５】
一方、下記特許文献３及び４には、贈答用の商品を購入する商品販売システムが開示されている。
【先行技術文献】
【特許文献】
【０００６】
【特許文献１】特開２０１０−０２６５５０号公報
【特許文献２】特開２００６−１９０１４８号公報
【特許文献３】特開２００６−０７２４２３号公報
【特許文献４】特開２００９−２０５４３４号公報
【発明の概要】
【発明が解決しようとする課題】
【０００７】
しかし、特許文献３及び４に開示された商品販売システムにおいても、チケットを購入して贈答先の相手と一緒に行きたい場合には、別途連絡して一緒に行く約束等を取り付ける必要がある。
【０００８】
本発明は、このような課題に鑑みてなされたものであり、商品の購入と合わせて、一緒に行く人を勧誘するなどのコミュニケーションを取ることも可能な商品販売システムを提供することを目的とする。
【課題を解決するための手段】
【０００９】
上記課題を解決するために、本発明に係る商品販売システムは、ネットワークを介してユーザ端末と接続された商品販売サーバを備え、商品販売サービスを提供する商品販売システムにおいて、前記商品販売サーバは、ユーザＡが入力したお誘い商品及びお誘いするユーザＢに関するユーザ情報をユーザＡ端末から受信する機能と、ユーザＢに呈示するための前記お誘い商品及びユーザＡに関する情報を含むお誘いページを作成する機能と、前記お誘いページをユーザＢ端末に送信する機能と、前記ユーザＢ端末からお誘いを受ける旨の回答を受信したときに、前記お誘い商品についてユーザＡ及びユーザＢの二人分の決済を行うための決済情報を前記ユーザＡ端末に送信する機能と、前記決済情報に基づき決済処理を行った前記ユーザＡ端末に対して、前記お誘い商品の二人分のチケットデータを送信する機能と、を備えることを特徴とする。
【００１０】
また、本発明に係る商品販売方法は、ネットワークを介して商品販売サーバに接続されたユーザ端末に対して、商品販売サービスを提供する商品販売方法において、ユーザＡ端末において、ユーザＡが入力したお誘い商品及びお誘いするユーザＢに関するユーザ情報を前記商品販売サーバに送信する工程と、前記商品販売サーバにおいて、ユーザＢに呈示するための前記お誘い商品及びユーザＡに関する情報を含むお誘いページを作成する工程と、前記商品販売サーバにおいて、前記お誘いページをユーザＢ端末に送信する工程と、前記商品販売サーバにおいて、前記ユーザＢ端末からお誘いを受ける旨の回答を受信したときに、前記お誘い商品についてユーザＡ及びユーザＢの二人分の決済を行うための決済情報を前記ユーザＡ端末に送信する工程と、前記商品販売サーバにおいて、前記決済情報に基づき決済処理を行った前記ユーザＡ端末に対して、前記お誘い商品の二人分のチケットデータを送信する工程と、を備えることを特徴とする。
【００１１】
また、本発明に係る商品販売サービス提供プログラムは、ユーザに対して商品販売サービスの提供をコンピュータに行わせるための商品販売サービス提供プログラムにおいて、ユーザＡが入力したお誘い商品及びお誘いするユーザＢに関するユーザ情報をユーザＡ端末から受信するステップと、ユーザＢに呈示するための前記お誘い商品及びユーザＡに関する情報を含むお誘いページを作成するステップと、前記お誘いページをユーザＢ端末に送信するステップと、前記ユーザＢ端末からお誘いを受ける旨の回答を受信したときに、前記お誘い商品についてユーザＡ及びユーザＢの二人分の決済を行うための決済情報を前記ユーザＡ端末に送信するステップと、前記決済情報に基づき決済処理を行った前記ユーザＡ端末に対して、前記お誘い商品の二人分のチケットデータを送信するステップと、を前記コンピュータに実行させることを特徴とする。
【００１２】
また、本発明に係る商品販売システムは、ネットワークを介してユーザ端末と接続された商品販売サーバを備え、商品販売サービスを提供する商品販売システムにおいて、前記商品販売サーバは、ユーザＢが入力した誘って商品及び誘って欲しいユーザＡに関するユーザ情報をユーザＢ端末から受信する機能と、ユーザＡに呈示するための前記誘って商品及びユーザＢに関する情報を含む誘ってページを作成する機能と、前記誘ってページをユーザＡ端末に送信する機能と、前記ユーザＡ端末からお誘いする旨の回答を受信したときに、前記誘って商品についてユーザＡ及びユーザＢの二人分の決済を行うための決済情報を前記ユーザＡ端末に送信する機能と、前記決済情報に基づき決済処理を行った前記ユーザＡ端末に対して、前記誘って商品の二人分のチケットデータを送信する機能と、を備えることを特徴とする。
【００１３】
また、本発明に係る商品販売方法は、ネットワークを介して商品販売サーバに接続されたユーザ端末に対して、商品販売サービスを提供する商品販売方法において、ユーザＢ端末において、ユーザＢが入力した誘って商品及び誘って欲しいユーザＡに関するユーザ情報を前記商品販売サーバに送信する工程と、前記商品販売サーバにおいて、ユーザＡに呈示するための前記誘って商品及びユーザＢに関する情報を含む誘ってページを作成する工程と、前記商品販売サーバにおいて、前記誘ってページをユーザＡ端末に送信する工程と、前記商品販売サーバにおいて、前記ユーザＡ端末からお誘いする旨の回答を受信したときに、前記誘って商品についてユーザＡ及びユーザＢの二人分の決済を行うための決済情報を前記ユーザＡ端末に送信する工程と、前記商品販売サーバにおいて、前記決済情報に基づき決済処理を行った前記ユーザＡ端末に対して、前記誘って商品の二人分のチケットデータを送信する工程と、を備えることを特徴とする。
【００１４】
また、本発明に係る商品販売サービス提供プログラムは、ユーザに対して商品販売サービスの提供をコンピュータに行わせるための商品販売サービス提供プログラムにおいて、ユーザＢが入力した誘って商品及び誘って欲しいユーザＡに関するユーザ情報をユーザＢ端末から受信するステップと、ユーザＡに呈示するための前記誘って商品及びユーザＢに関する情報を含む誘ってページを作成するステップと、前記誘ってページをユーザＡ端末に送信するステップと、前記ユーザＡ端末からお誘いする旨の回答を受信したときに、前記誘って商品についてユーザＡ及びユーザＢの二人分の決済を行うための決済情報を前記ユーザＡ端末に送信するステップと、前記決済情報に基づき決済処理を行った前記ユーザＡ端末に対して、前記誘って商品の二人分のチケットデータを送信するステップと、を前記コンピュータに実行させることを特徴とする。
【発明の効果】
【００１５】
本発明によれば、商品購入の際に、一緒に行く人を誘ったり、誘ってもらったりすることが可能となる。
【図面の簡単な説明】
【００１６】
【図１】図１は、本発明の実施形態に係る商品販売システムの構成を概略的に示す模式図である。
【図２】図２は、本発明の実施形態に係る商品販売サーバの構成を概略的に示す模式図である。
【図３】図３は、本発明の実施形態に係るユーザ端末の構成を概略的に示す模式図である。
【図４】図４は、本発明の実施形態に係るユーザＡがユーザＢをある飲食店にお誘いする場合の商品販売サービスの処理の流れを示すフローチャートである。
【図５】図５は、本発明の実施形態に係るユーザＡがユーザＢをある飲食店にお誘いする場合の商品販売サービスの処理の流れを示すフローチャートである。
【図６】図６は、本発明の実施形態に係るユーザＢがユーザＡにある飲食店に誘ってもらう場合の商品販売サービスの処理の流れを示すフローチャートである。
【図７】図７は、本発明の実施形態に係るユーザＢがユーザＡにある飲食店に誘ってもらう場合の商品販売サービスの処理の流れを示すフローチャートである。
【図８】図８は、本発明の実施形態に係る商品販売サービスにおいて提供される商品ページの一例を示す図である。
【発明を実施するための形態】
【００１７】
以下、図面を参照しながら、本発明の実施形態である商品販売システムについて詳細に説明する。図１は、本実施形態に係る商品販売システムの構成を概略的に示す模式図、図２は、本実施形態に係る商品販売サーバの構成を概略的に示す模式図である。図３は、本実施形態に係るユーザ端末の構成を概略的に示す模式図である。
【００１８】
図１に示すように、商品販売システム１は、商品販売サービスを提供するための商品販売サーバ１０と、商品販売サービスの提供を受けるユーザＡが使用する端末であるユーザＡ端末３０Ａ、同じく商品販売サービスの提供を受けるユーザＢが使用する端末であるユーザＢ端末３０Ｂと、を備えている。商品販売サーバ１０とユーザ端末３０とは、インターネット等のネットワーク５０を介して接続されており、それぞれの通信インターフェースを介して、互いにデータの送受信が可能である。
【００１９】
本実施形態では、商品として、レストランのコース料理のチケットを販売する場合を例に挙げて説明する。なお、本実施形態に係る商品販売システム１は、ユーザＡがユーザＢを誘いながらチケットを購入したり、ユーザＢがユーザＡに誘ってもらいながらチケットを購入してもらったりするためのコミュニケーションが、システム上でできることを特徴としている。
【００２０】
商品販売サーバ１０は、商品の販売を仲介する販売業者が運営するサーバであり、後述する商品販売サービスを提供する。図２に示すように、商品販売サーバ１０は、各種演算を行うＣＰＵ（Central Processing Unit）等の演算装置１１と、各種情報を記憶しておくＨＤＤ（Hard Disc Drive）や演算処理のワークエリアとして使用されるＲＡＭ（Random
Access Memory）等からなる記憶装置１３とを備えている。
【００２１】
記憶装置１３は、商品販売サーバ１０において所定の処理を実行するための各種プログラムを格納しておくプログラム格納部１３１、商品販売サービスを利用するために会員登録している会員に関する各種情報を格納しておくユーザ情報ＤＢ１３２、商品紹介のためのウェブページ等のコンテンツデータを格納しておくコンテンツＤＢ１３３、商品販売サービスに商品を提供している店舗に関する各種情報を格納しておく店舗情報ＤＢ１３４を備えている。
【００２２】
ユーザ端末３０は、商品販売サーバ１０が提供する商品販売サービスを利用して、商品を購入するユーザが使用する端末であり、図３に示すように、各種演算を行うＣＰＵ等の演算装置３１と、各種情報を記憶しておくフラッシュメモリや演算処理のワークエリアとして使用されるＲＡＭ等からなる記憶装置３３等を備えている。
【００２３】
記憶装置３３は、ユーザ端末３０において所定の処理を実行するための各種プログラムを格納しておくプログラム格納部３１１を備えている。なお、図１に示すように、本実施形態では、ユーザＡ端末３０ＡがＰＣ（Personal Computer）、ユーザＢ端末３０Ｂが携帯電話であり、ユーザＢ端末３０Ｂは、携帯電話の基地局５５を介してネットワーク５０に接続されている。
【００２４】
ユーザ端末３０としては、ネットワーク５０を介して商品販売サーバ１０と通信可能な端末であれば、携帯電話、ＰＣ、ＰＤＡ（personal Digital Assistant）、ネットブック、ゲーム機等、種々の端末を利用することが可能である。
【００２５】
以上、商品販売システム１の構成について説明したが、続いて、本システムが提供する商品販売サービスの処理の流れについて、図４乃至図７を参照しながら説明する。図４及び図５は、ユーザＡがユーザＢをある飲食店にお誘いする場合の商品販売サービスの処理の流れを示すフローチャートである。図６及び図７は、ユーザＢがユーザＡにある飲食店に誘ってもらう場合の商品販売サービスの処理の流れを示すフローチャートである。
【００２６】
なお、商品販売サーバ１０において実行される各種処理は、演算装置１１がプログラム格納部１３１に格納されている各種プログラムを実行することで実現され、ユーザ端末３０において実行される各種処理は、演算装置３１がプログラム格納部３３１に格納されている各種プログラムを実行することで実現される。
【００２７】
まず、図４及び図５を参照して、ユーザＡが奢りでユーザＢを飲食店にお誘いする場合の商品販売サービスの処理の流れについて説明する。まず、ユーザＡは、ユーザＡ端末３０Ａを使って、商品販売サービスを利用するために、商品販売サーバ１０にアクセスする（Ｓ１０）。このとき、ユーザＡが商品販売サービスにまだログインしていない状態のときは、Ｓ１１において、まずログイン処理を行う。
【００２８】
Ｓ１１のログイン処理は、商品販売サーバ１０が、コンテンツＤＢ１３３に格納されているログインページのデータをユーザＡ端末３０Ａに送信し、当該ページに従ってユーザＡが入力したユーザＩＤ及びパスワードを、ユーザ情報ＤＢ１３２を参照しながら確認することで行われる。
【００２９】
また、まだユーザＡが会員登録していない場合には、商品販売サーバ１０は、ユーザＡに会員登録処理を要請し、ユーザＡが入力したユーザＩＤ、パスワード、メールアドレス等の会員情報をユーザ情報ＤＢ１３２へ登録する登録処理を先に行う。
【００３０】
ログイン処理を行ったユーザＡ端末３０Ａには、商品販売サーバ１０のコンテンツＤＢ１３３から順次商品ページのコンテンツデータが送信され（Ｓ１２）、ユーザＡ端末３０Ａの画面上に図８に示すような商品ページが表示される。図８は、本実施形態に係る商品販売サービスにおいて提供される商品ページの一例を示す図である。ここでは、イタリア料理店におけるイタリアンコースＡの商品ページを示している。
【００３１】
Ｓ１３において、ユーザＡがお誘いしたい商品であるイタリアンコースＡの商品ページがユーザＡ端末３０Ａ上に表示されると、ユーザＡは、このお誘い商品でユーザＢを誘うために、図８に示す「この商品でお誘いする」のボタンを選択する。そうすると、Ｓ１４において、ユーザＡ端末３０Ａが商品販売サーバ１０にアクセスして取得するお誘い情報入力画面がユーザＡ端末３０Ａ上に表示されるので、ユーザＡは、ユーザＡ端末３０Ａにお誘い情報を入力する。
【００３２】
お誘い情報としては、お誘いする相手のユーザ名（ユーザＢ）、相手方へのお誘いメッセージ、商品金額の表示/非表示、回答期限等を入力する。入力されたデータは、Ｓ１５において、商品販売サーバ１０へと送られる。商品販売サーバ１０は、このお誘い情報を基にして、ユーザＢへ呈示するお誘いページを作成し（Ｓ１６）、コンテンツＤＢ１３３内に保存する。このお誘いページは、ユーザＡがお誘い内容を確認するために、Ｓ１７において、ユーザＡ端末３０Ａへと送られる。
【００３３】
Ｓ２０において、ユーザＡは、ユーザＡ端末３０Ａ上に表示された確認用のお誘いページを見て、お誘い商品やお誘いメッセージ等のお誘い内容を確認し、問題なければ確認ボタンを押す。そうすると、この内容でＯＫであることを示す確認データが商品販売サーバ１０へと送信される（Ｓ２１）。もちろん、お誘いページを修正したい場合には、修正ボタンを押すことで、お誘いページの内容を修正することも可能である。
【００３４】
確認データを受信した商品販売サーバ１０は、Ｓ２２において、ユーザＢに送信するためのお誘いメールを作成する。お誘いメールは、ユーザＢに対して、ユーザＡからお誘いがあったことを知らせるためのメールであり、コンテンツＤＢ１３３に格納されている上記お誘いページのリンク情報（ＵＲＬ）が掲載される。
【００３５】
このお誘いメールのデータは、Ｓ２３においてユーザＡ端末３０Ａへと送られる。お誘いメールデータを受信したユーザＡ端末３０Ａでは、自動的にメーラーが起動される。Ｓ２４において、ユーザＡがメール送信先にユーザＢのメールアドレスを入力すれば、ユーザＡ端末３０ＡからユーザＢ端末３０Ｂへと直接お誘いメールが送信される（Ｓ２５）。
【００３６】
このように、商品販売サーバ１０からユーザＢ端末３０Ｂにお誘いメールを送るのではなく、ユーザＡ端末３０Ａから送信するようにしたのは、ユーザＢ端末３０Ｂにおいて確実にお誘いメールを受信するためである。
【００３７】
近年、携帯電話からのメールのみを受信し、ＰＣからのメールを受信しないように携帯電話を設定しているユーザが多く、商品販売サーバ１０から送信したメールであればユーザＢ端末３０Ｂに受信されない可能性がある。これに対して、ユーザＡが誘おうとしているユーザＢとユーザＡとは通常知人であり、ユーザＡからのメールであれば、ユーザＢ端末３０Ｂによって受信される可能性が高いと考えられる。
【００３８】
続いて、Ｓ３０でお誘いメールが表示されたユーザＢ端末３０Ｂにおいて、ユーザＢがお誘いページのＵＲＬをクリックすると、ユーザＢ端末３０Ｂはお誘いページを提供する商品販売サーバ１０へとアクセスする（Ｓ３１）。なお、ユーザＢが商品販売サービスにログインしていない状態であれば、Ｓ３２においてログイン処理が行われる。また、ユーザＢが商品販売サービスに登録していない場合には、登録処理が行われる。
【００３９】
続いて、Ｓ３４では、お誘いページのコンテンツデータがアクセスしてきたユーザＢ端末３０Ｂへと送信され、お誘いページがユーザＢ端末３０Ｂ上に表示される（Ｓ３５）。お誘いページには、お誘い商品であるイタリアンコースＡの商品の説明、お誘いメッセージ、回答期限、回答メッセージ入力欄、回答ボタン（ＹＥＳ，ＮＯ）等が表示されており、ユーザＢは、お誘いの内容を吟味して、お誘いに乗るか否かを検討する。
【００４０】
Ｓ３６において、回答期限内にユーザＢが回答メッセージを入力すると共に回答ボタンを選択して回答情報を入力した場合には、入力されたデータがＳ３７において、商品販売サーバ１０へと送られる。なお、ユーザＢが回答期限内に回答せずに放置した場合には、商品販売サーバ１０において、回答期限経過後にお誘いページが削除されると共に、ユーザＡに対して、ユーザＢからの回答が無かった旨が通知される。
【００４１】
回答情報を受信した商品販売サーバ１０は、Ｓ４０において、ユーザＢからの回答内容をユーザＡに呈示するための回答ページを作成して、コンテンツＤＢ１３３に保存する。Ｓ４１では、ユーザＢから回答があった旨を知らせる通知メールを作成し、ユーザＡ端末３０Ａへと送信する（Ｓ４２）。
【００４２】
Ｓ４３において、ユーザＡ端末３０Ａ上に表示された通知メールを見たユーザＡは、回答ページを見るために、商品販売サーバ１０にアクセスする（Ｓ４４）。Ｓ４５では、回答ページのコンテンツデータがユーザＡ端末３０Ａへと送信され、Ｓ４６において、ユーザＡ端末３０Ａ上に回答ページが表示される。
【００４３】
回答がＮＯであった場合には、ここで処理が終了するが、本実施形態では、回答がＹＥＳであったとして、Ｓ５０の決済処理へと進む。決済処理に必要な情報は、回答ページのコンテンツデータに含まれており、Ｓ５０では、誘った側であるユーザＡが、ユーザＢの分も含めてイタリアンコースＡの二人分のチケットの支払いを行う。
【００４４】
具体的な決済手法は、ユーザが選択可能であるが、オンライン方式及びオフライン方式の電子マネーやクレジットカードにより決済することができる。決済が完了したことを示す情報は、ユーザＡ端末３０Ａ又は外部の決済用サーバから商品販売サーバ１０へと通知される。
【００４５】
決済処理後、Ｓ５１において、ユーザＡ端末３０Ａが商品販売サーバ１０にアクセスすると、Ｓ５２において、商品販売サーバ１０は、二人分のイタリアンコースＡの商品チケットを発行し、ユーザＡ端末３０Ａへと送信する（Ｓ５３）。なお、このチケット内には、購入した商品名（イタリアンコースＡ）、個数（２つ）、識別ＩＤ等のチケット情報が含まれている。
【００４６】
チケットデータを受信したユーザＡ端末３０Ａ上には、商品名や識別ＩＤ等の情報を含むチケットが表示される。ユーザＡは、ユーザＢと一緒に当該店舗を訪れた際に、この画面上のチケットを提示することで、イタリアンコースＡの提供を受けることができる。
【００４７】
なお、商品販売サーバ１０は、Ｓ５２においてチケットを発行する際に、別途、店舗側にもチケット情報をメール等で送信するように構成されており、店舗側は、識別ＩＤ等でチケットの発行や使用を管理することができる。
【００４８】
以上、詳細に説明した商品販売サービスによれば、ユーザＡは、具体的な商品（チケット）を提案しながら一緒に行くようにユーザＢを誘うことができる。したがって、直接誘うことが気後れするような相手であっても、本サービスを利用すれば、気軽にコミュニケーションを取って誘うことが可能となる。
【００４９】
また、本サービスによれば、商品の購入と一緒に行く人を誘う行為とを同じサービスの中でまとめて行うことが可能となり、従来のように、商品の購入と勧誘とを別々に行う場合と比較して、格段に利用しやすいサービスとなっている。
【００５０】
また、本サービスによれば、誘った側のユーザＡが二人分の費用を決済しなければ商品チケットが発行されないため、費用負担が明確となり、誘われる側のユーザＢは費用の負担を気にすることなく、安心して誘われることができる。また、飲食店等の店舗側にとっては、本サービスを利用してもらうことで、売上増につけなげることもできる。
【００５１】
次に、図６及び図７を参照して、ユーザＢがユーザＡの奢りで飲食店に誘ってもらう場合の商品販売サービスの処理の流れについて説明する。まず、ユーザＢは、ユーザＢ端末３０Ｂを使って、商品販売サービスを利用するために、商品販売サーバ１０にアクセスする（Ｓ６０）。このとき、ユーザＢが商品販売サービスにまだログインしていない状態のときは、Ｓ６１においてログイン処理を行う。
【００５２】
ログイン処理を行ったユーザＢ端末３０Ｂには、商品販売サーバ１０のコンテンツＤＢ１３３から順次商品ページのコンテンツデータが送信され（Ｓ６２）、ユーザＢ端末３０Ｂの画面上に図８に示したような商品ページが表示される。Ｓ６３において、ユーザＢ端末３０Ｂに誘ってもらいたい商品であるイタリアンコースＡの商品ページが表示されると、ユーザＢは、この誘って商品でユーザＡに誘ってもらうために、図８に示す「誘って」のボタンを選択する。
【００５３】
そうすると、ユーザＢ端末３０Ｂが商品販売サーバ１０にアクセスして誘って情報入力画面がユーザＢ端末３０Ｂ上に表示されるので、ユーザＢは、引き続きＳ６４において、誘って情報を入力する。誘って情報としては、誘って欲しい相手のユーザ名（ユーザＡ）、相手方への誘ってメッセージ、回答期限等を入力する。
【００５４】
入力されたデータは、Ｓ６５において、商品販売サーバ１０へと送られ、商品販売サーバ１０は、この誘って情報を基にして、ユーザＡに呈示する誘ってページを作成し（Ｓ６６）、コンテンツＤＢ１３３内に保存する。この誘ってページは、ユーザＢが誘って内容を確認するために、Ｓ６７において、ユーザＢ端末３０Ｂへと送られる。
【００５５】
Ｓ７０において、ユーザＢは、ユーザＢ端末３０Ｂ端末上に表示された確認用の誘ってページを見て、誘って商品や誘ってメッセージを確認し、問題なければ確認ボタンを選択することで、この内容でＯＫであることを示す確認データが商品販売サーバ１０へと送信される（Ｓ７１）。もちろん、誘ってページを修正したい場合には、修正ボタンを選択することで、誘ってページの内容を修正することも可能である。
【００５６】
確認データを受信した商品販売サーバ１０は、Ｓ７２において、ユーザＡに送信するための誘ってメールを作成する。誘ってメールは、ユーザＡに対して、ユーザＢから誘って欲しいとのリクエストがあったことを知らせるためのメールであり、コンテンツＤＢ１３３に格納されている上記誘ってページのリンク情報（ＵＲＬ）が掲載される。
【００５７】
この誘ってメールのデータは、Ｓ７３において、ユーザＢ端末３０Ｂへと送られる。誘ってメールを受信したユーザＢ端末３０Ｂでは、自動的にメーラーが起動される。Ｓ７４において、ユーザＢがメール送信先にユーザＡのアドレスを入力すれば、ユーザＢ端末３０ＢからユーザＡ端末３０Ａへと直接誘ってメールが送信される（Ｓ７５）。このように、ユーザＢからユーザＡへ直接誘ってメールを送信することで、ユーザＡ端末３０Ａが確実に誘ってメールを受信することができる。
【００５８】
続いて、Ｓ８０で誘ってメールが表示されたユーザＡ端末３０Ａにおいて、ユーザＡが誘ってページのＵＲＬをクリックすると、ユーザＡ端末３０Ａは誘ってページを提供する商品販売サーバ１０へとアクセスする（Ｓ８１）。なお、ユーザＡが商品販売サービスにログインしていない状態であれば、Ｓ８２において、ログイン処理が行われる。また、ユーザＡが商品販売サービスに登録していない場合には、登録処理が行われる。
【００５９】
続いて、Ｓ８４では、誘ってページのコンテンツデータがアクセスしてきたユーザＡ端末３０Ａへと送信され、誘ってページがユーザＡ端末３０Ａ上に表示される（Ｓ８５）。誘ってページには、ユーザＢが誘ってもらいたい商品であるイタリアンコースＡの商品の説明、誘ってメッセージ、回答期限、回答メッセージ入力欄、回答ボタン（ＹＥＳ，ＮＯ）等が表示されており、ユーザＡは、誘ってリクエストの内容を吟味し、二人分の費用を負担のうえで、ユーザＢを誘うかどうかを検討する。
【００６０】
Ｓ８６において、回答期限内にユーザＡが回答メッセージを入力すると共に回答ボタンを選択して回答情報を入力した場合には、入力されたデータがＳ８７において、商品販売サーバ１０へと送られる。なお、回答期限内にユーザＡが回答せずに放置した場合には、商品販売サーバ１０において、回答期限経過後に誘ってページが削除されると共に、ユーザＢに対して、ユーザＡから回答の無かった旨が通知される。
【００６１】
回答情報を受信した商品販売サーバ１０は、Ｓ９０において、ユーザＡからの回答内容をユーザＢに呈示するための回答ページを作成して、コンテンツＤＢ１３３に保存する。Ｓ９１では、ユーザＡから回答があった旨を知らせる通知メールを作成し、ユーザＢ端末３０Ｂへと送信する（Ｓ９２）。
【００６２】
Ｓ９３において、ユーザＢ端末３０Ｂ上に表示された通知メールを見たユーザＢは、回答ページを見るために、商品販売サーバ１０にアクセスする（Ｓ９４）。Ｓ９５では、回答ページのコンテンツデータがユーザＢ端末３０Ｂへと送信され、Ｓ９６において、ユーザＢ端末３０Ｂ上に回答ページが表示される。
【００６３】
回答がＮＯであった場合には、ここで処理が終了するが、本実施形態では、回答がＹＥＳであったとして、Ｓ１００の決済処理へと進む。ユーザＢがユーザＡに誘ってもらう場合には、二人分の商品購入費用はユーザＡが負担することになるため、決済処理は、上述したユーザＡがユーザＢを誘う場合と同様に、ユーザＡ端末３０Ａにおいて実施される。
【００６４】
決済処理後、Ｓ１０１において、ユーザＡ端末３０Ａが商品販売サーバ１０にアクセスすると、Ｓ１０２において、商品販売サーバ１０は、二人分のイタリアンコースＡの商品チケットを発行し、ユーザＡ端末３０Ａへと送信する（Ｓ１０３）。なお、このチケット内には、購入した商品名（イタリアンコースＡ）、個数（２つ）、識別ＩＤ等のチケット情報が含まれている。
【００６５】
チケットデータを受信したユーザＡ端末３０Ａ上には、商品名や識別ＩＤ等の情報を含むチケットが表示される。上述したユーザＡがユーザＢを誘う場合と同様に、ユーザＡは、ユーザＢと一緒に当該店舗を訪れた際に、この画面上のチケットを提示することで、イタリアンコースＡの提供を受けることができる。
【００６６】
以上、詳細に説明した商品販売サービスによれば、上述した誘う場合の商品販売サービスと同様の作用効果を奏すると共に、ユーザＢは、具体的な商品（チケット）を提案しながら一緒に行くようにユーザＡに誘ってもらうリクエストをすることができる。通常、相手側の費用負担で誘ってもらうのは言い出しにくい面もあるが、本サービスを利用することで、気軽に誘って欲しいと伝えることが可能となる。
【００６７】
以上、本発明の実施の形態について説明したが、本発明の実施の形態は、上記実施形態に限定されるものではなく、本発明の主旨を逸脱しない範囲内でさらに種々の変形が可能である。例えば、上記実施形態では、商品販売サーバの機能を単一のサーバで担う場合について説明したが、もちろん、ネットワークを介して接続された複数のコンピュータで分散処理するように構成しても良い。
【００６８】
また、上記実施形態では、ユーザＡが一人のユーザＢを誘う場合を例に挙げて説明したが、ユーザＢが複数人の場合にも本発明は適用できる。
【符号の説明】
【００６９】
１            商品販売システム
１０          商品販売サーバ
１１          演算装置
１３          記憶装置
１３１        プログラム格納部
１３２        ユーザ情報ＤＢ
１３３        コンテンツＤＢ
１３４        店舗情報ＤＢ
３０          ユーザ端末
３１          演算装置
３３          記憶装置
３３１        プログラム格納部
５０          ネットワーク
５５          基地局
【図１】
2012190301.tif 000003
【図２】
2012190301.tif 000004
【図３】
2012190301.tif 000005
【図４】
2012190301.tif 000006
【図５】
2012190301.tif 000007
【図６】
2012190301.tif 000008
【図７】
2012190301.tif 000009
【図８】
2012190301.tif 000010